【誤訳訂正書】
【提出日】平成22年12月24日(2010.12.24)
【誤訳訂正１】
【訂正対象書類名】明細書
【訂正対象項目名】特許請求の範囲
【訂正方法】変更
【訂正の内容】
【特許請求の範囲】
【請求項１】  プラズマを用いて基板を処理するためのプラズマ処理装置であって、
第１のＲＦ周波数を有する第１のＲＦ電源と、
プロセスチャンバと、
前記第１のＲＦ電源に結合され、基板が前記処理のために前記プロセスチャンバ内に配置されるときに、前記基板によって定義される面の上方に配置される実質的に円形のアンテナであって、前記第１のＲＦ電源によって生成された第１のＲＦエネルギを用いて、前記プロセスチャンバ内に電場を誘起するように構成されたアンテナと、
該アンテナおよび前記プロセスチャンバ間に配置された結合窓であって、前記アンテナから前記プロセスチャンバ内部への前記第１のＲＦエネルギの通過を許容するように構成され、第１の層および第２の層を有し、前記第２の層が、前記実質的に円形のアンテナおよび前記プラズマ間に形成される容量結合を実質的に抑制するように構成されている結合窓と、
を備え、
前記実質的に円形のアンテナおよび前記結合窓は、前記基板表面にわたって実質的に均一なプロセス速度を生成するように協働し、
前記アンテナは、第１の面における第１の対の同心状の輪および第２の面における第２の対の同心状の輪を少なくとも含み、
前記第１の対の同心状の輪は、第１の巻き線と、前記第１の巻き線よりも大きな直径を有する第４の巻き線とを有し、
前記第２の対の同心状の輪は、第２の巻き線と、前記第２の巻き線よりも大きな直径を有する第３の巻き線とを有し、
前記第１の対の同心状の輪および前記第２の対の同心状の輪が、互いに実質的に同一でありかつ対称に配置されていると共に、前記プロセスチャンバ内に方位的に対称なプラズマを形成するアンテナであり、
前記第１の巻き線は、前記第２の巻き線と実質的に同一であり、
前記第４の巻き線は、前記第３の巻き線と実質的に同一であり、
前記第１の巻き線は、前記第２の巻き線の上に配置され、
前記第４の巻き線は、前記第３の巻き線の上に配置され、
前記第１の巻き線は前記第２の巻き線に接続され、前記第２の巻き線は前記第３の巻き線に接続され、前記第３の巻き線は前記第４の巻き線に接続されて、電流が前記第１の巻き線から前記第２と第３の巻き線を通って前記第４の巻き線に流れるとともに、前記各巻き線内の電流の流れがアンテナ軸の周りで同一の方向に流れるように巻かれている、プラズマ処理装置。
【請求項２】  請求項１に記載のプラズマ処理装置において、
前記第１の対の同心状の輪は、前記第２の対の同心状の輪と近接しているプラズマ処理装置。
【請求項３】  請求項１に記載のプラズマ処理装置において、
前記第１の対の同心状の輪は、前記第２の対の同心状の輪の上に積層されているプラズマ処理装置。
【請求項４】  請求項３に記載のプラズマ処理装置において、
前記第２の対の同心状の輪は、前記第１の対の同心状の輪によって生成された端子電圧をシールドするプラズマ処理装置。
【請求項５】  請求項１に記載のプラズマ処理装置において、
前記第１の巻き線は、前記第４の巻き線に近接し、前記第２の巻き線は、前記第３の巻き線に近接し、前記第１の巻き線の前記第４の巻き線に対する前記近接と、前記第２の巻き線の前記第３の巻き線に対する前記近接とは、前記実質的に円形のアンテナにおける放射方向の変動を実質的に低減するプラズマ処理装置。
【請求項６】  請求項１に記載のプラズマ処理装置において、
前記実質的に円形のアンテナは、前記基板が前記プロセスチャンバ内に配置されたときに、前記プロセスチャンバおよび前記基板の中心に対して対称に配置され、
前記実質的に円形のアンテナは、前記基板が前記プロセスチャンバ内に配置されたときに、前記基板の上方に配置されているプラズマ処理装置。
【請求項７】  請求項１に記載のプラズマ処理装置において、
前記実質的に円形のアンテナは、前記結合窓に近接して配置されているプラズマ処理装置。
【請求項８】  請求項１に記載のプラズマ処理装置において、
前記結合窓の前記第１および第２の層は一体的に固定されているプラズマ処理装置。
【請求項９】  請求項１に記載のプラズマ処理装置において、
前記第２の層は、前記プロセスチャンバの内周面の一部を形成するプラズマ処理装置。
【請求項１０】  請求項１に記載のプラズマ処理装置において、
前記第１の層は、絶縁材料から形成されているプラズマ処理装置。
【請求項１１】  請求項１０に記載のプラズマ処理装置において、
前記第１の層は、窒化ケイ素または窒化アルミニウムから本質的になるグループから選択された材料で形成されているプラズマ処理装置。
【請求項１２】  請求項１に記載のプラズマ処理装置において、
前記第２の層は、導電材料から形成されているプラズマ処理装置。
【請求項１３】  請求項１２に記載のプラズマ処理装置において、
前記第２の層は、１００Ω・ｃｍから１００００Ω・ｃｍまでの抵抗率を有するＳｉＣから形成されているプラズマ処理装置。
【請求項１４】  請求項１に記載のプラズマ処理装置において、
前記第２の層は、プロセス中に前記プロセスチャンバ内に存在する前記プラズマに対して実質的に抵抗となる材料から形成されているプラズマ処理装置。
【請求項１５】  請求項１４に記載のプラズマ処理装置において
前記第２の層は、ＳｉＣから形成されているプラズマ処理装置。
【請求項１６】  請求項１に記載のプラズマ処理装置において、
前記第２の層は、電気的に浮動するように構成されるプラズマ処理装置。
【請求項１７】  請求項１に記載のプラズマ処理装置において、
前記第１のＲＦ周波数は、４ＭＨｚに設定されているプラズマ処理装置。
【請求項１８】  請求項１に記載のプラズマ処理装置において、
前記プロセスチャンバは、実質的に円筒のプラズマプロセスチャンバであるプラズマ処理装置。
【請求項１９】  プロセスチャンバ内の基板を処理するための実質的に円形のアンテナ構成であって、第１のＲＦ電源に結合されると共に、前記基板が前記処理のために前記プロセスチャンバ内に配置されるときに、前記基板によって定義される面の上方に配置される前記アンテナ構成において、
第１の面における第１の対の同心状の輪と、
第２の面における第２の対の同心状の輪と、
を備え、
前記第２の対の同心状の輪は、前記第１の対の同心状の輪に結合され、前記第２の対の同心状の輪は、前記第２の対の同心状の輪と実質的に同一でありかつ対称に配置され、前記第２の対の同心状の輪は、前記第１の対の同心状の輪と近接しており、前記第１の対の同心状の輪は、前記第２の対の同心状の輪の上に配置されていると共に、
前記実質的に円形のアンテナ構成は、前記第１のＲＦ電源によって生成される第１のＲＦエネルギを用いて、前記プロセスチャンバ内に方位的に対称な電場を形成し、前記方位的に対称な電場は、実質的に方位的に対称なプラズマを形成し、該プラズマは、前記基板の表面にわたって実質的に均一なプロセス速度を生成し、
前記第１の対の同心状の輪は、第１の内側巻き線と第１の外側巻き線とを有し、
前記第２の対の同心状の輪は、第２の内側巻き線と第２の外側巻き線とを有し、
前記第１と第２の対の同心状の輪は、電流が前記第１の内側巻き線から前記第２の内側巻き線と前記第２の外側巻き線とを通って前記第１の外側巻き線に流れるとともに、前記各巻き線内の電流の流れがアンテナ軸の周りで同一の方向に流れるように巻かれている、アンテナ構成。
【請求項２０】  請求項１９に記載のアンテナ構成において、
前記第１のＲＦ電源は、４ＭＨｚの周波数に設定されているアンテナ構成。
【請求項２１】  プロセスチャンバ内のプラズマを用いて基板を処理するための結合窓構成であって、前記結合窓はアンテナおよび前記プロセスチャンバ間に配置され、前記アンテナはＲＦエネルギを生成するように構成され、前記生成は前記アンテナおよび前記プラズマ間に容量結合を形成する前記結合窓構成において、
絶縁材料から形成される第１の層と、
前記第１の層に接続された第２の層であって、プロセス中において前記プロセスチャンバ内に存在する前記プラズマに対して実質的に抵抗となる材料から形成され、前記プロセスチャンバの内周面の一部を形成する前記第２の層と、
を備え、
前記第１の層および第２の層は、前記アンテナから前記プロセスチャンバ内部への前記第１のＲＦエネルギの通過を許容するように構成されていることとを備え、
前記第２の層は、導電材料から形成され、電気的に浮動するように構成されている、結合窓構成。
【請求項２２】  請求項２１に記載の結合窓構成において、
前記第２の層は、前記生成中に前記アンテナおよび前記プラズマ間に形成される前記容量結合を実質的に抑制するように構成されている結合窓構成。
【請求項２３】  請求項２１に記載の結合窓構成において、
前記第１と第２の層は、容量電圧分圧器を構成するように形成されており、
前記容量電圧分圧器は、一定の容量を有する前記第１の層によって形成される上方部分と、下方部分とを含み、
前記下方部分は、点火前の導電性の前記第２の層及びチャンバ壁とで形成され、点火後には前記第２の層及びプラズマで形成される、結合窓構成。
【請求項２４】  請求項２１に記載の結合窓構成において、
前記第２の層は、１００Ω・ｃｍから１００００Ω・ｃｍまでの抵抗率を有するＳｉＣから形成されている結合窓構成。
【請求項２５】  請求項２１に記載の結合窓構成において、
前記第１の層は、本質的に窒化ケイ素または窒化アルミニウムからなるグループから選択された材料で形成されている結合窓構成。
【請求項２６】  請求項２１に記載の結合窓構成において、
前記第２の層はＳｉＣから形成されている結合窓構成。
【請求項２７】
プロセスチャンバ内で電場を生成するためのアンテナ構成であって、
アンテナ軸の周りに配置された第１の輪と、
前記第１の輪に結合された第２の輪と、
を備え、
前記第１の輪は、第１の面に配置されており、第１の巻き線と、前記第１の巻き線よりも前記アンテナ軸から離れた位置に設けられた第４の巻き線とを有し、
前記第２の輪は、前記第１の輪と形状と実質的に同一の形状を有し、前記第２の輪は、前記第１の面の下にある第２の面に配置され、かつ前記アンテナ軸の周りに配置されており、
前記第２の輪は、前記第１の巻き線に対応する第２の巻き線と、前記第４の巻き線に対応し前記第２の巻き線よりも前記アンテナ軸から離れた位置に設けられた第３の巻き線とを有し、
前記第１および第２の輪は、電流が前記第１の巻き線から前記第２と第３の巻き線を通って前記第４の巻き線に流れるとともに、前記アンテナ軸の周りで同一の方向に電流が流れるよう配置されている、
アンテナ構成。
【請求項２８】  請求項２７に記載のアンテナ構成であって、前記第３および第４の巻き線は、前記第１および第２の巻き線に近接して配置されている、アンテナ構成。
【請求項２９】  請求項２７又は請求項２８に記載のアンテナ構成であって、アークを排除するために、前記複数の巻き線の各々の間に、絶縁体が配置されている、アンテナ構成。
【請求項３０】  請求項２７に記載のアンテナ構成であって、前記第１および第２の輪を合わせた長さは、前記アンテナ構成を通して伝送されるエネルギの波長よりも短い、アンテナ構成。
【請求項３１】  請求項２７に記載のアンテナ構成であって、前記第２の輪は、前記第１の輪の端子電圧を効果的にシールドする、アンテナ構成。
【請求項３２】  請求項２７に記載のアンテナ構成であって、前記第１および第２の輪は、第１のＲＦ電源によって生成される第１のＲＦエネルギを用いて、前記プロセスチャンバ内に方位的に対称な電場を形成するよう協働し、前記方位的に対称な電場は、実質的に方位的に対称なプラズマを形成し、該プラズマは、前記プロセスチャンバ内に配置された基板の表面にわたって実質的に均一なプロセス速度を生成する、アンテナ構成。
【請求項３３】
基板を処理するためのプラズマ処理装置であって、
前記処理のために内部でプラズマが点火および維持されるプロセスチャンバと、
前記プロセスチャンバ内にＲＦエネルギによって電場を生成するよう構成された多層アンテナであって、上側の輪と下側の輪を有し、前記上側の輪および前記下側の輪は、実質的に互いに同一であり、アンテナ軸に関して対称的に配置されている、多層アンテナと、
請求項２１〜２６のいずれか一項に記載の結合窓構成と、
を備える、プラズマ処理装置。
【誤訳訂正２】
【訂正対象書類名】明細書
【訂正対象項目名】００６５
【訂正方法】変更
【訂正の内容】
【００６５】
理論に縛られたくないが、第２の層の電気抵抗は、プラズマを生成するために使用されるプロセスガスに対して等電位面を提供することが確信される。例えば、プラズマが発生した後、第２の層へプラズマが近接することから、第２の層の電位は大幅に低くなる。さらに、容量電圧分圧器が一般に形成され、この容量電圧分圧器は、例えば、一定の容量を有する絶縁性の第１の層によって形成される上方部分と、導電性の第２の層によって形成される下方部分とで構成され、この下方部分は、点火前には導電性の第２の層およびチャンバの壁で形成され、点火後には導電性の第２の層およびプラズマで形成される。点火前には、下方部分は小さな容量を有するため、より大きな電圧の補助点火がある（例えば、放電を開始するために、一般に容量電場が必要である）。点火後には、下方部分は大きな容量を有する。これにより、電圧が大幅に低下するため、大きな容量電圧結合を招くことはない。